(57)【要約】【目的】取得したデータに欠落又はエラーが存在していた場合に、データを補完して完全な情報データを得ることが可能な情報生成装置を提供する。【構成】取得部は、送信局から送信される複数の部分データで構成される第１データと、第１データと同一のデータを示す第２データと、を取得する。生成部は、第１データの部分データと第１データの部分データに対応する第２データの部分データとが異なる場合に、一方の部分データを他方の部分データに置き換えることで第１データと第２データとを合成した合成データを生成する。【選択図】図１
2017175265.tif 000002
【特許請求の範囲】
【請求項１】
送信局から送信される複数の部分データで構成される第１データと、前記第１データと同一のデータを示す第２データと、を取得する取得部と、
前記第１データの部分データと前記第１データの部分データに対応する前記第２データの部分データとが異なる場合に、一方の部分データを他方の部分データに置き換えることで前記第１データと前記第２データとを合成した合成データを生成する生成部と、
を備えることを特徴とする情報生成装置。
【請求項２】
前記合成データに異常があるかを判定する判定部をさらに備え、
前記生成部は、前記判定部によって前記合成データに異常があると判定されなくなるまで、一方の部分データを他方の部分データに置き換えることで前記第１データと前記第２データとを合成することを特徴とする請求項１に記載の情報生成装置。
【請求項３】
前記第１データ及び前記第２データの受信時における受信強度を判定する受信強度判定部をさらに備え、
前記生成部は、前記第１データ及び前記第２データの対応し且つ異なる部分データについて、前記第１及び第２データのうち受信強度が高いデータの部分データを用いて、前記合成データを生成することを特徴とする請求項１又は２に記載の情報生成装置。
【請求項４】
前記生成部は、前記第１データ又は前記第２データの一方に所定のフォーマットとは異なるフォーマットの部分データが存在した場合、前記異なるフォーマットの部分データを他方の部分データに置き換えて前記合成データを生成することを特徴とする請求項１乃至３のいずれか１に記載の情報生成装置。
【請求項５】
取得部に、送信局から送信される複数の部分データで構成される第１データと、前記第１データと同一のデータを示す第２データと、を取得させるステップと、
生成部に、前記第１データの部分データと前記第１データの部分データに対応する前記第２データの部分データとが異なる場合に、一方の部分データを他方の部分データに置き換えることで前記第１データと前記第２データとを合成した合成データを生成させるステップと、
を含むことを特徴とする情報生成方法。
【請求項６】
コンピュータに、送信局から送信される複数の部分データで構成される第１データと、前記第１データと同一のデータを示す第２データと、を取得するステップと、
前記第１データの部分データと前記第１データの部分データに対応する前記第２データの部分データとが異なる場合に、一方の部分データを他方の部分データに置き換えることで前記第１データと前記第２データとを合成した合成データを生成するステップと、
を実行させることを特徴とするプログラム。
【請求項７】
プログラムを記録する記録媒体であって、前記プログラムは、コンピュータに、
送信局から送信される複数の部分データで構成される第１データと、前記第１データと同一のデータを示す第２データと、を取得するステップと、
前記第１データの部分データと前記第１データの部分データに対応する前記第２データの部分データとが異なる場合に、一方の部分データを他方の部分データに置き換えることで前記第１データと前記第２データとを合成した合成データを生成するステップと、
を実行させることを特徴とする記録媒体。
【発明の詳細な説明】
【技術分野】
【０００１】
本発明は、受信した無線信号に基づいて情報を生成する情報生成装置に関する。
【背景技術】
【０００２】
近年、無線信号による情報通信システムにおいては、受信側の装置における情報の取りこぼしを防止するため、同一のデータを示す信号を繰り返して送信することが行われている。受信側の装置では、繰り返し受信した信号に基づいてデータを復号することにより、正しい情報を得る。
【０００３】
例えば、ＧＰＳ（Global Positioning System）では、エフェメリスデータが衛星から繰り返し送信されている。このようなエフェメリスデータを収集する収集デバイスでサブフレームの同期を完了することができない場合に、受信したサブフレームの第１の部分をデータ記憶ユニットに記憶しておき、再送信されたサブフレームの第２の部分を受け取って、記憶されていた第１の部分とマージすることにより、完全なエフェメリスデータを取得する技術が提案されている（例えば、特許文献１）。
【先行技術文献】
【特許文献】
【０００４】
【特許文献１】特開２０１２−４９７７５号公報
【発明の概要】
【発明が解決しようとする課題】
【０００５】
上記した従来技術では、１回目に受信したデータ（サブフレーム）の一部に欠落が存在する場合に、２回目に受信したデータの対応する部分を用いて当該欠落部分を補完することにより、完全なデータを得ることができる。しかし、受信したデータに欠落ではないデータの誤り（データの破損等）が存在するような場合、上記した従来技術では誤りのある箇所を特定することができないため、補完によって誤りのない完全な情報データを得ることができない。従って、受信したデータに誤りが検出された場合には、いったんデータを破棄して、再び信号が送信されるのを待たなければならないという問題が生じる。
【０００６】
本発明が解決しようとする課題としては、上記した従来技術において生じる、取得したデータに誤りが存在していた場合に、データを補完して完全な情報データを得ることができないということが一例として挙げられる。
【課題を解決するための手段】
【０００７】
請求項１に記載の発明は、送信局から送信される複数の部分データで構成される第１データと、前記第１データと同一のデータを示す第２データと、を取得する取得部と、前記第１データの部分データと前記第１データの部分データに対応する前記第２データの部分データとが異なる場合に、一方の部分データを他方の部分データに置き換えることで前記第１データと前記第２データとを合成した合成データを生成する生成部と、を備えることを特徴とする。
【０００８】
また、請求項５に記載の発明は、取得部に、送信局から送信される複数の部分データで構成される第１データと、前記第１データと同一のデータを示す第２データと、を取得させるステップと、生成部に、前記第１データの部分データと前記第１データの部分データに対応する前記第２データの部分データとが異なる場合に、一方の部分データを他方の部分データに置き換えることで前記第１データと前記第２データとを合成した合成データを生成させるステップと、を含むことを特徴とする。
【０００９】
また、請求項６に記載の発明は、コンピュータに、送信局から送信される複数の部分データで構成される第１データと、前記第１データと同一のデータを示す第２データと、を取得するステップと、前記第１データの部分データと前記第１データの部分データに対応する前記第２データの部分データとが異なる場合に、一方の部分データを他方の部分データに置き換えることで前記第１データと前記第２データとを合成した合成データを生成するステップと、を実行させることを特徴とする。
【００１０】
また、請求項７に記載の発明は、プログラムを記録する記録媒体であって、前記プログラムは、コンピュータに、送信局から送信される複数の部分データで構成される第１データと、前記第１データと同一のデータを示す第２データと、を取得するステップと、前記第１データの部分データと前記第１データの部分データに対応する前記第２データの部分データとが異なる場合に、一方の部分データを他方の部分データに置き換えることで前記第１データと前記第２データとを合成した合成データを生成するステップと、を実行させることを特徴とする。
【図面の簡単な説明】
【００１１】
【図１】情報生成装置１０の構成を示すブロック図である。
【図２】情報データ生成処理において取得される第１受信データ（ａ）、第２受信データ（ｂ）及びスペアデータ（ｃ）と、生成される合成データ（ｄ）の例を模式的に示す図である。
【図３】合成データの生成処理の例について、一回目に行われる合成データの生成（ａ）及び２回目に行われる合成データの生成（ｂ）を模式的に示す図である。
【図４】情報データ生成処理の動作を示すフローチャートである。
【発明を実施するための形態】
【００１２】
以下、本発明の実施例を図面を参照しつつ詳細に説明する。以下の実施例においては、ＶＩＣＳ（登録商標）（Vehicle Information and Communication System）において送信されたＶＩＣＳデータ信号を受信して情報データを生成する情報生成装置を例に説明する。
【００１３】
情報生成装置１０は、ＶＩＣＳデータ信号ＶＳを受信して情報データＵＤを生成し、これをナビゲーション装置等（図示せず）に出力する。情報生成装置１０は、図１に示すように、受信部１１、制御部１２及びバックアップメモリ１３を有する。
【００１４】
受信部１１は、送信局からＦＭ放送波を用いて送信されたＶＩＣＳデータ信号ＶＳを、アンテナ部ＡＰからラインＬ１を介して受信し、受信データＲＤを得る。ＶＩＣＳでは、同じ情報を示すデータを担持するＶＩＣＳデータ信号ＶＳが５分間に２回送信される。以下の説明では、１回目に送信されたＶＩＣＳデータ信号ＶＳ１（第１の信号）が担持するデータを第１受信データＲＤ１、２回目に送信されたＶＩＣＳデータ信号ＶＳ２（第２の信号）が担持するデータを第２受信データＲＤ２と称する。
【００１５】
制御部１２は、受信部１１からラインＬ２を介して第１受信データＲＤ１及び第２受信データＲＤ２の供給を受ける。制御部１２は、第１受信データＲＤ１及び第２受信データＲＤ２に基づいて、情報データＵＤを生成する。制御部１２は、受信レベル判定部２１、誤り判定部２２、スペアデータ取得部２３及びデータ生成部２４を有する。
【００１６】
受信レベル判定部２１は、ＶＩＣＳデータ信号ＶＳ１（第１の信号）及びＶＩＣＳデータ信号ＶＳ２（第２の信号）の受信時における受信レベル（受信強度）を判定し、受信レベル情報を得る。受信レベル判定部２１は、受信レベル情報をバックアップメモリ１３に格納する。
【００１７】
誤り判定部２２は、第１受信データＲＤ１、第２受信データＲＤ２及び合成データＳＤに異常があるか否かを判定する。例えば、誤り判定部２２は、第１受信データＲＤ１及び第２受信データＲＤ２に対してＣＲＣ（Cyclic Redundancy Check）を用いてエラーチェックを行い、第１受信データＲＤ１及び第２受信データＲＤ２にエラーが含まれるか否かを判定する。ここで、エラーとはデータの欠落以外のデータの誤り（例えば、破損等）を指す。同様に、誤り判定部２２は、データ生成部２４において生成された合成データＳＤに対してエラーチェックを行い、合成データＳＤにエラーが含まれるか否かを判定する。
【００１８】
また、誤り判定部２２は、第１受信データＲＤ１及び第２受信データＲＤ２におけるデータの欠落の有無及び欠落箇所を判定する。第１受信データＲＤ１及び第２受信データＲＤ２は複数の部分データから構成されており、誤り判定部２２は、第１受信データＲＤ１及び第２受信データＲＤ２においてすべての部分データが揃っているか否かを判定することにより、欠落の有無及びどの部分データが欠落しているかを判定する。
【００１９】
なお、誤り判定部２２は、ＶＩＣＳデータ信号に対応する所定のフォーマットとは異なるフォーマットの部分データが第１受信データＲＤ１及び第２受信データＲＤ２に存在した場合、当該部分データは欠落していると判定する。すなわち、第１受信データＲＤ１又は第２受信データＲＤ２にフォーマット異常が発生していた場合、エラーではなく欠落として判定される。
【００２０】
スペアデータ取得部２３は、第１受信データＲＤ１に欠落部分（部分データの欠落）が存在する場合、当該部分に対応する第２受信データＲＤ２の部分データをスペアデータＢＤ（バックアップデータ）としてバックアップメモリ１３に格納する。また、スペアデータ取得部２３は、第１受信データＲＤ１及び第２受信データＲＤ２の対応する部分データに異なる箇所が存在する場合に、当該箇所における第２受信データＲＤ２の部分データをスペアデータＢＤとしてバックアップメモリ１３に格納する。例えば、図２（ａ）及び（ｂ）に示すように、第１受信データＲＤ１に部分データの欠落がある場合や、第２受信データＲＤ２に第１受信データＲＤ１と異なる部分データが存在する場合、スペアデータ取得部２３は、図２（ｃ）に示すように、欠落分に対応する第２受信データＲＤ２の部分データ（図中、「Ｄ２」）及び第１受信データＲＤ１の部分データと異なる第２受信データＲＤ２の部分データ（図中、「Ａ２」「Ｃ２」）を、スペアデータＢＤとしてバックアップメモリ１３に格納する。
【００２１】
データ生成部２４は、第１受信データＲＤ１及び第２受信データＲＤ２に基づいて、情報データＵＤを生成する。具体的には、第１受信データＲＤ１に部分データの欠落及びエラーが含まれていないと判定された場合、データ生成部２４は、第１受信データＲＤ１を情報データＵＤとする。一方、第１受信データＲＤ１に部分データの欠落又はエラーが含まれていると判定され、第２受信データＲＤ２に部分データの欠落及びエラーが含まれていないと判定された場合、データ生成部２４は、第２受信データＲＤ２を情報データＵＤとする。
【００２２】
これに対し、第１受信データＲＤ１及び第２受信データＲＤ２のいずれにも部分データの欠落又はエラーが含まれていると判定された場合、データ生成部２４は、第１受信データＲＤ１の一部と第２受信データＲＤ２（すなわち、第２受信データＲＤ２の一部を取得して得られたスペアデータＢＤ）の他の一部とを合成して合成データＳＤを生成し、情報データＵＤを得る。
【００２３】
データ生成部２４は、第１受信データＲＤ１に欠落している部分データがあると判定された場合、当該欠落部分を対応するスペアデータＢＤで置き換える。また、第１受信データＲＤ１にエラーが含まれていると判定された場合、データ生成部２４は、第１受信データＲＤ１の部分データとスペアデータＢＤとを組み合わせて、合成データＳＤを生成する。
【００２４】
例えば、第１受信データＲＤ１に部分データの欠落が存在していた場合、図２（ｄ）に示すように、当該欠落箇所に対応するスペアデータＢＤ（図中、「Ｄ２」）を用いて、合成データＳＤを生成する。また、第１受信データＲＤ１及び第２受信データＲＤ２の部分データが異なる部分について、第１受信データＲＤ１の部分データ又はスペアデータＢＤ（図中、「Ａ１」又は「Ａ２」、「Ｃ１」又は「Ｃ２」）を用いて、合成データＳＤを生成する。
【００２５】
データ生成部２４は、バックアップメモリ１３に格納されている受信レベル情報を読み出し、当該受信レベル情報に基づいて、受信レベルの高い方の部分データ（ＶＩＣＳデータ信号ＶＳ１及びＶＳ２のうち受信レベルの高い方の信号が担持する受信データの部分データ）を優先的に用いて、合成データＳＤを生成する。そして、誤り判定部２２により合成データＳＤにエラーが含まれていると判定された場合、データ生成部２４は、別の部分データを用いて新たに合成データＳＤを生成する。
【００２６】
例えば、ＶＩＣＳデータ信号ＶＳ１（第１の信号）の受信レベルがＶＩＣＳデータ信号ＶＳ２（第２の信号）の受信レベルよりも高い場合、図３（ａ）に示すように、データ生成部２４は、第１受信データＲＤ１の部分データを優先的に用いて、合成データＳＤを生成する。合成データＳＤにエラーが含まれていると判定された場合、図３（ｂ）に示すように、先の合成データＳＤの生成において第１受信データＲＤ１の部分データを用いていた部分（例えば、「Ａ１」）を、対応するスペアデータＢＤ（「Ａ２」）に置き換えて、新たに合成データＳＤを生成する。生成した合成データＳＤにエラーが含まれていると誤り判定部２２により判定された場合には、他の部分データについて、再び同様の処理を繰り返す。
【００２７】
誤り判定部２２によって合成データＳＤにエラーが含まれていないと判定された場合、データ生成部２４は、当該合成データＳＤを情報データＵＤとして出力する。
【００２８】
なお、想定されるすべてのパターンの部分データの組み合わせを試行してもエラーを含まない合成データＳＤが得られない場合、データ生成部２４は合成データＳＤの生成を止め、受信部１１からの次の受信データＲＤ（新たな第１受信データＲＤ１及び第２受信データＲＤ２）の供給を待つ。また、エラーを含まない合成データＳＤが未だ得られていない状態で受信部１１が新たなＶＩＣＳデータ信号を受信し、受信部１１から制御部１２に第１受信データＲＤ１が供給された場合、データ生成部２４は合成データＳＤの生成を止め、新たな受信データＲＤ（新たな第１受信データＲＤ１及び第２受信データＲＤ２）に基づく処理を開始する。
【００２９】
バックアップメモリ１３は、ラインＬ３を介して制御部１２と双方向に接続されている。バックアップメモリ１３は、受信レベル判定部２１によって得られた受信レベル情報を格納する。また、バックアップメモリ１３は、第１受信データＲＤ１と、スペアデータ取得部２３によって取得されたスペアデータＢＤとを格納する。
【００３０】
次に、情報生成装置１０が行う情報データ生成処理の一連の動作について、図４のフローチャートを参照して説明する。
【００３１】
受信部１１は、ＶＩＣＳデータ信号ＶＳ１（第１の信号）をアンテナ部ＡＰを介して受信し、第１受信データＲＤ１を取得する（ステップＳ１０１）。受信部１１は、第１受信データＲＤ１を制御部１２に供給する。
【００３２】
制御部１２の受信レベル判定部２１は、ＶＩＣＳデータ信号ＶＳ１の受信時における受信レベルを判定する（ステップＳ１０２）。受信レベル判定部２１は、判定した受信レベルを示す受信レベル情報をバックアップメモリ１３に格納する。
【００３３】
誤り判定部２２は、第１受信データＲＤ１に欠落している部分データが存在するか否かを判定する（ステップＳ１０３）。欠落している部分データが存在していると判定された場合、第１受信データＲＤ１をバックアップメモリ１３に格納し、ステップＳ１１１へと移行する。
【００３４】
ステップＳ１０３において、欠落している部分データが存在しないと判定された場合、誤り判定部２２は、第１受信データＲＤ１に対してエラーチェックを行い（ステップＳ１０４）、第１受信データＲＤ１にエラーが含まれているか否かを判定する（ステップＳ１０５）。エラーが含まれていると判定された場合、第１受信データＲＤ１をバックアップメモリ１３に格納し、ステップＳ１１１へと移行する。
【００３５】
ステップＳ１０４において、エラーが含まれていないと判定された場合、データ生成部２４は、第１受信データＲＤ１を情報データＵＤとして出力し（ステップＳ１０６）、処理を終了する。
【００３６】
一方、ステップＳ１０３において第１受信データＲＤ１に部分データの欠落があると判定された場合、又はステップＳ１０５において第１受信データＲＤ１にエラーが含まれると判定された場合、制御部１２は、受信部１１がＶＩＣＳデータ信号ＶＳ２（第２の信号）を受信して得た第２受信データＲＤ２を、受信部１１から取得する（ステップＳ１１１）。
【００３７】
制御部１２の受信レベル判定部２１は、ＶＩＣＳデータ信号ＶＳ２の受信時における受信レベルを判定する（ステップＳ１１２）。受信レベル判定部２１は、判定した受信レベルを示す受信レベル情報をバックアップメモリ１３に格納する。
【００３８】
スペアデータ取得部２３は、第１受信データＲＤ１及び第２受信データＲＤ２を比較し、異なる部分データが存在するか否かを判定する。異なる部分データが存在する場合、スペアデータ取得部２３は、第２受信データＲＤ２の当該部分データをスペアデータＢＤ（バックアップ）として取得し、バックアップメモリ１３に格納する（ステップＳ１１３）。
【００３９】
誤り判定部２２は、第２受信データＲＤ２に欠落している部分データが存在するか否かを判定する（ステップＳ１１４）。欠落している部分データが存在していると判定された場合、ステップＳ１２１へと移行する。
【００４０】
ステップＳ１１４において、欠落している部分データが存在しないと判定された場合、誤り判定部２２は、第２受信データＲＤ２に対してエラーチェックを行い（ステップＳ１１５）、第２受信データＲＤ２にエラーが含まれているか否かを判定する（ステップＳ１１６）。エラーが含まれていないと判定した場合、データ生成部２４は、第２受信データＲＤ２を情報データＵＤとして出力し（ステップＳ１１７）、処理を終了する。
【００４１】
ステップＳ１１４において、欠落している部分データが存在すると判定された場合、又はステップＳ１１６において、エラーが存在すると判定された場合、データ生成部２４は、置き換え可能なスペアデータＢＤがバックアップメモリ１３に格納されているか否かを判定する（ステップＳ１２１）。置き換え可能なスペアデータＢＤが格納されていないと判定された場合、データ生成部２４は処理を終了し、受信部１１から新たな受信データＲＤ（第１受信データＲＤ１，第２受信データＲＤ２）が供給されるのを待つ。
【００４２】
ステップＳ１２１において、置き換え可能なスペアデータＢＤが格納されていると判定された場合、データ生成部２４は、バックアップメモリ１３に格納されている第１受信データＲＤ１とスペアデータＢＤとを読み出し、部分データを組み合わせて合成データＳＤを生成する（ステップＳ１２２）。その際、データ生成部２４は、ＶＩＣＳデータ信号ＶＳ１及びＶＳ２のうち受信時における受信レベルの高い信号に担持されていたデータの部分データを優先的に用いて合成データＳＤを生成する。例えば、ＶＩＣＳデータ信号ＶＳ１の受信レベルが高い場合には第１受信データＲＤ１の部分データを優先的に用いて合成データＳＤを生成し、ＶＩＣＳデータ信号ＶＳ２の受信レベルが高い場合にはスペアデータＢＤを優先的に用いて合成データＳＤを生成する。
【００４３】
誤り判定部２２は、合成データＳＤに対してエラーチェックを行い（ステップＳ１２３）、合成データＳＤにエラーが含まれているか否かを判定する（ステップＳ１２４）。合成データＳＤにエラーが含まれていると判定された場合、ステップＳ１２１に戻り、合成データＳＤの生成、エラーチェック及び判定処理（ステップＳ１２１〜１２４）を繰り返す。
【００４４】
合成データＳＤにエラーが含まれていないと判定された場合、データ生成部２４は、当該合成データＳＤを情報データＵＤとして出力し（ステップＳ１２５）、処理を終了する。
【００４５】
以上のように、本実施例の情報生成装置１０では、エラーチェックの結果、第１受信データＲＤ１及び第２受信データＲＤ２にエラーが含まれていると判定された場合や、第１受信データＲＤ１及び第２受信データＲＤ２に欠落している部分データが存在する場合等、第１受信データＲＤ１の部分データと第１受信データＲＤ１の部分データに対応する第２受信データＲＤ２の部分データとが異なる場合に、一方の部分データを他方の部分データに置き換えることで第１受信データＲＤ１と第２受信データＲＤ２とを合成した合成データＳＤを生成する。そして、合成データＳＤに異常があるかを判定し、合成データＳＤに異常があると判定されなくなるまで、一方の部分データを他方の部分データに置き換えることで第１受信データＲＤ１と第２受信データＲＤ２とを合成し、情報データＵＤを得る。
【００４６】
本実施例の情報生成装置１０によれば、取得したデータにエラーが含まれていると判定された場合、同一の情報を担持する他のデータと組み合わせることによって、エラーを含まない情報データを得ることができる。従って、エラーが含まれるデータを破棄して新たな信号の受信を待つことなく、完全な情報データを得ることができるため、ＶＩＣＳ情報等の更新頻度を高めることができる。
【００４７】
また、誤り判定部２２は、第１受信データＲＤ１及び第２受信データＲＤ２に所定のフォーマットと異なるフォーマットの部分データが存在した場合、当該部分データは欠落していると判定する。すなわち、第１受信データＲＤ１及び第２受信データＲＤ２のうちの一方の部分データにフォーマット異常がある場合には、欠落がある場合と同様、フォーマット異常のない他方の部分データに置き換えて合成データＳＤを生成する。従って、誤り判定部２２は、フォーマット異常を予め除外してエラーチェックを行うため、迅速に誤り判定を行うことができる。
【００４８】
また、スペアデータ取得部２３は、第１受信データＲＤ１及び第２受信データＲＤ２の対応する部分データに異なる箇所が存在する場合に、当該箇所における第２受信データＲＤ２の部分データをスペアデータＢＤとしてバックアップメモリ１３に格納する。すなわち、第１受信データＲＤ１と第２受信データＲＤ２とで部分データが同じ箇所については、これを予め除外した上でデータ生成部２４が合成データＳＤの生成するため、迅速に処理を行うことができる。
【００４９】
また、データ生成部２４は、受信レベルの高い信号に対応する部分データを優先的に用いて、合成データＳＤを生成する。一般に受信レベルが高い信号はデータの信頼性が高いため、この構成によれば、エラーを含まない合成データＳＤを早い段階で生成できる可能性が高い。従って、情報データＵＤの生成を迅速に行うことができる。
【００５０】
なお、上記実施例では、ＶＩＣＳにおいて送信されたデータ信号を受信して情報を生成する情報生成装置に本発明を適用する場合を例として説明したが、本発明の適用対象はこれに限られない。本発明は、送信局から送信される複数の部分データで構成される第１データと、第１データと同じデータを示す第２データと、を受信して、第１及び第２データに基づいて情報を生成する情報生成装置全般に適用することが可能である。
【００５１】
また、上記実施例では、エラーを含まない合成データＳＤが未だ得られていない状態で受信部１１が新たなＶＩＣＳデータ信号を受信し、受信部１１から制御部１２に第１受信データＲＤ１が供給された場合に、データ生成部２４が合成データＳＤの生成を止める例について説明した。しかし、受信部１１による新たな第１受信データＲＤ１の受信ではなく、所定時間（例えば２分）の経過を契機として、データ生成部２４が合成データＳＤの生成を止める構成であっても良い。
【００５２】
また、上記実施例は、第１受信データＲＤ１及び第２受信データＲＤ２が夫々５つの部分データから構成されている例について説明したが、第１受信データＲＤ１及び第２受信データＲＤ２を構成する部分データの数はこれに限られない。第１受信データＲＤ１及び第２受信データＲＤ２は、夫々対応する部分データを有するように構成されていれば良い。
【００５３】
また、上記実施例で説明した一連の処理は、例えばＲＯＭなどの記録媒体に格納されたプログラムに従ったコンピュータ処理により行うことができる。
【符号の説明】
【００５４】
１０  情報生成装置
１１  受信部
１２  制御部
１３  バックアップメモリ
２１  受信レベル判定部
２２  誤り判定部
２３  スペアデータ取得部
２４  データ生成部
【図１】
2017175265.tif 000003
【図２】
2017175265.tif 000004
【図３】
2017175265.tif 000005
【図４】
2017175265.tif 000006